(57)【特許請求の範囲】
【請求項１】
折り部を介して連接した第１の紙片部と第２の紙片部とが前記折り部にて折り畳まれて少なくともその周囲にて互いに剥離可能に貼着された情報担持シートにおいて、
前記折り部が前記情報担持シートの端辺に存在し、
前記折り部上の所定の領域に前記第１の紙片部と前記第２の紙片部とに跨るように孔部が形成され、
前記孔部に隣接する領域に機械読み取り用コードが付与されていることを特徴とする情報担持シート。
【発明の詳細な説明】
【技術分野】
【０００１】
本発明は、折り部を介して連接した複数の紙片部が折り部にて折り畳まれて互いに剥離可能に貼着された情報担持シートに関し、特に、情報担持シートの向きや情報担持シートの所定の領域を触覚によって認識させるための技術に関する。
【背景技術】
【０００２】
近年、はがきとしての定形形状を有する複数の紙片が剥離可能に貼着された貼着はがきが用いられている。このような貼着はがきにおいては、互いに剥離可能に貼着される複数の紙片がそれぞれはがきの定形形状を有するものであることから、通常はがきの料金で送付することができながらも、剥離可能に貼着された複数の紙片の表裏にそれぞれ情報を記載することができることから、通常はがきよりも多くの情報を送付先に通知することができる。
【０００３】
このような貼着はがきは、複数の紙片の貼着面に記載された情報を見るためには複数の紙片を剥離する必要があるため、一般的には、複数の紙片を剥離するための開封用切り欠きが設けられている。ところが、開封用切り欠きが小さな三角形形状である場合、特に視覚障害者にとってその位置を触覚で認識することが困難であるという問題点がある。
【０００４】
そこで、折り部を介して連接した３つの紙片部がＺ状に３つ折りされて互いに剥離可能に貼着される３つ折り隠蔽葉書において、３つの紙片部のうち連接方向両端となる２つの紙片部の端辺に半円状の切り欠きを設け、この半円状の切り欠きを触ることにより、隠蔽葉書を見開く剥離開始箇所を簡単に見つけることができるようにする技術が特許文献１に開示されている。
【先行技術文献】
【特許文献】
【０００５】
【特許文献１】特許第４３７３１２０号公報
【発明の概要】
【発明が解決しようとする課題】
【０００６】
しかしながら、上述したように、折り部を介して連接した３つの紙片部がＺ状に３つ折りされて互いに剥離可能に貼着される３つ折り隠蔽葉書において、３つの紙片部のうち連接方向両端となる２つの紙片部の端辺に半円状の切り欠きを設けたものにおいては、搬送時等において、半円状の切り欠きに指や機械等が引っ掛かり、互いに貼着された紙片部がそこから不用意に剥離してしまう虞れがある。
【０００７】
本発明は、上述したような従来の技術が有する問題点に鑑みてなされたものであって、折り部を介して連接した複数の紙片部が折り部にて折り畳まれて互いに剥離可能に貼着された情報担持シートにおいて、複数の紙片部が不用意に剥離することなく、情報担持シートの向きや情報担持シートの所定の領域を触覚によって認識させることができる情報担持シートを提供することを目的とする。
【課題を解決するための手段】
【０００８】
上記目的を達成するために本発明は、
折り部を介して連接した第１の紙片部と第２の紙片部とが前記折り部にて折り畳まれて少なくともその周囲にて互いに剥離可能に貼着された情報担持シートにおいて、
前記折り部が前記情報担持シートの端辺に存在し、
前記折り部上の所定の領域に前記第１の紙片部と前記第２の紙片部とに跨るように孔部が形成され、
前記孔部に隣接する領域に機械読み取り用コードが付与されていることを特徴とする。
【０００９】
上記のように構成された本発明においては、情報担持シートの外形や所定の領域に対する孔部の相対位置を予め認識しておけば、孔部を触った場合にその孔部の位置に基づいて、情報担持シートの向きや情報担持シートの所定の領域を認識することができる。また、孔部が折り部上に第１の紙片部と第２の紙片部とに跨るように形成されていることにより、搬送時等において孔部に指や機械等が引っ掛かった場合においても、第１の紙片部と第２の紙片部とがそこから不用意に剥離してしまうことがない。
【００１０】
また、孔部に隣接する領域に機械読み取り用コードが付与されていることにより、孔部を触ることにより、機械読み取り用コードが付与された領域を認識することができる。
【発明の効果】
【００１１】
以上説明したように本発明においては、孔部が折り部上の所定の領域に第１の紙片部と第２の紙片部とに跨るように形成されているため、この孔部を触ることによって、情報担持シートの向きや情報担持シートの所定の領域を触覚によって認識させることができ、また、孔部が折り部上に形成されていることにより、搬送時等において孔部に指や機械等が引っ掛かった場合においても、第１の紙片部と第２の紙片部とがそこから不用意に剥離してしまうことがない。
【００１２】
また、孔部に隣接する領域に機械読み取り用コードが付与されていることにより、孔部を触ることにより、機械読み取り用コードが付与された領域を認識することができる。
【図面の簡単な説明】
【００１３】
【図１】本発明の情報担持シートの実施の一形態を示す図であり、（ａ）は正面図、（ｂ）は（ａ）に示したＡ−Ａ’断面図、（ｃ）は見開いた状態を示す図である。
【図２】図１に示したはがきを送付するまでの工程を説明するための図である。
【図３】図１に示したはがきにおける孔部の利用方法を説明するための図である。
【図４】図１に示したはがきにおいて孔部の構造による作用を説明するための図であり、（ａ）は図１に示したはがきの外観斜視図、（ｂ）は（ａ）に示した矢印Ａ方向から見た状態にて孔部に指が引っ掛かった状態を示す拡大図である。
【図５】図１に示したはがきが見開かれる状態を示す図である。
【図６】本発明の情報担持シートの他の実施の形態を示す図であり、（ａ）は正面図、（ｂ）は（ａ）に示したＡ−Ａ’断面図、（ｃ）は見開いた状態を示す図である。
【発明を実施するための形態】
【００１４】
以下に、本発明の実施の形態について図面を参照して説明する。
【００１５】
図１は、本発明の情報担持シートの実施の一形態を示す図であり、（ａ）は正面図、（ｂ）は（ａ）に示したＡ−Ａ’断面図、（ｃ）は見開いた状態を示す図である。
【００１６】
本形態の情報担持シートは図１に示すように、上紙片１０と中紙片２０と下紙片３０とが折り部４１，４２を介して連接し、これら上紙片１０と中紙片２０と下紙片３０とが折り部４１，４２にてＺ状に折り畳まれ、上紙片１０と中紙片２０、中紙片２０と下紙片３０とがそれぞれその全面にて感圧接着剤５０によって剥離可能に貼着されたはがき１である。なお、本形態においては、中紙片２０が第１の紙片部となり、下紙片３０が第２の紙片部となる。
【００１７】
上紙片１０は、左下角部が上紙片１０を中紙片２０から剥離を開始する剥離開始部１２となっており、例えば、スリットを形成したり感圧接着剤５０を塗布しなかったりすることにより、摘みやすくなっている。また、剥離開始部１２の近傍には、機械読み取り用コード１１が付与されている。この機械読み取り用コード１１は、折り畳み状態にて表出する面にバーコードや二次元コードを印刷したり、ＩＣチップを埋め込んだりすることによって上紙片１０に付与されている。
【００１８】
中紙片２０と下紙片３０とを折り畳むための折り部４２上には、円形の孔部６０が形成されており、中紙片２０と下紙片３０とを折り部４２にて折り畳むと、この孔部６０によって中紙片２０及び下紙片３０の一部が折り部４２側から半円状に切り欠かれた凹部が折り部４２上にできる。この孔部６０は、上紙片１０と中紙片２０と下紙片３０とを折り部４１，４２にて折り畳んだ場合に機械読み取り用コード１１に隣接するような領域に形成されている。すなわち、機械読み取り用コード１１は、上紙片１０と中紙片２０と下紙片３０とが折り部４１，４２にてＺ状に折り畳まれた状態にて、孔部６０に隣接する領域に付与されていることになる。
【００１９】
また、中紙片２０には、中紙片２０と下紙片３０とを折り部４２にて折り畳んだ際に外側となる面の折り部４２の近傍に“郵便はがき”という固定情報２１が印刷されているが、上紙片１０、中紙片２０及び下紙片３０の連接方向のそれぞれの長さが、中紙片２０と下紙片３０とが互いに等しいのに対して、上紙片１０がそれよりも短いことにより、上紙片１０と中紙片２０と下紙片３０とが折り部４１，４２にてＺ状に折り畳まれた状態においてこの固定情報２１が上紙片１０には対向せずに表出している。
【００２０】
以下に、上記のように構成されたはがき１の使用方法について説明する。
【００２１】
まず、はがき１を送付するまでの工程について説明する。
【００２２】
図２は、図１に示したはがき１を送付するまでの工程を説明するための図である。
【００２３】
図１に示したはがき１は、まず、上紙片１０と中紙片２０と下紙片３０とが見開いた状態で、上紙片１０、中紙片２０及び下紙片３０に対する印刷が行われる。この印刷工程においては、図２（ａ）に示すように、上紙片１０及び下紙片３０のそれぞれに連接したマージナル部７０に設けられたマージナル孔７１によってはがき１がプリンタ内を搬送され、上紙片１０に、このはがき１の送付先の住所や氏名等からなる宛先情報１３が印字され、また、中紙片２０及び下紙片３０に、このはがき１の送付先に通知したい通知情報２２，３１が印字される。また、上紙片１０にこのはがき１の送付先に応じた機械読み取り用コード１１が印刷される。なお、図２（ａ）においては、中紙片２０及び下紙片３０の一方の面のみ図示しているが、中紙片２０及び下紙片３０の他方の面にも通知情報が印字され、また、上紙片１０の宛先情報１３が印刷される面の裏面にも通知情報が印字されてもよい。この際、中紙片２０と下紙片３０とを折り畳むための折り部４２上に、円形の孔部６０が形成される。
【００２４】
その後、マージナル部７０が切り除かれ、図２（ｂ）に示すように、宛先情報１３や通知情報２２，３１が印字された上紙片１０と中紙片２０と下紙片３０とが折り部４１，４２にてＺ状に折り畳まれ、上紙片１０、中紙片２０及び下紙片３０に予め塗布されている感圧接着剤５０によって、これら上紙片１０と中紙片２０と下紙片３０とがその全面にて剥離可能に貼着され、図２（ｃ）に示すように、はがき形態となって送付先に送付されることになる。
【００２５】
次に、孔部６０の利用方法について説明する。
【００２６】
図３は、図１に示したはがき１における孔部６０の利用方法を説明するための図である。
【００２７】
上述したようにして送付されたはがき１は、送付工程または送付先において、上紙片１０に付与された機械読み取り用コード１１が読み取られ、機械読み取り用コード１１に応じた処理が行われる。例えば、はがき１の送付先にて機械読み取り用コード１１が読み取られることにより音声が出力されることや、はがき１の送付先に応じた区分け処理や、はがき１の送付先に応じたポイント付与等の処理が行われる。その際、機械読み取り用コード１１が孔部６０に隣接する領域に付与されているので、図３に示すように、指２で孔部６０の位置を確認することにより、機械読み取り用コード１１が付与された領域を認識することができ、その領域にハンディターミナルターミナル３を近接させることで機械読み取り用コード１１が読み取られることになる。また、はがき１の送付先にて機械読み取り用コード１１が読み取られることにより音声が出力される場合は、特に視覚障害者がはがき１を受け取った際に、指で孔部６０を触ることで送付先にて音声が通知されることを認識することができ、受け取ってすぐに音声を確認することができる。
【００２８】
ここで、孔部６０が中紙片２０と下紙片３０とに跨るように形成されているため、はがき１の送付工程においてこの孔部６０に指や機械等が引っ掛かってしまう可能性がある。その際の作用について以下に説明する。
【００２９】
図４は、図１に示したはがき１において孔部６０の構造による作用を説明するための図であり、（ａ）は図１に示したはがき１の外観斜視図、（ｂ）は（ａ）に示した矢印Ａ方向から見た状態にて孔部６０に指が引っ掛かった状態を示す拡大図である。
【００３０】
図１に示したはがき１は、上述したように、孔部６０が中紙片２０と下紙片３０とに跨るように形成されたものであるため、上紙片１０と中紙片２０と下紙片３０とが折り畳まれてはがき形態となった状態においては、図４（ａ）に示すように、この孔部６０によって中紙片２０及び下紙片３０の一部が折り部４２側から半円状に切り欠かれた状態となり、それにより、はがき１の送付工程において孔部６０に指や機械等が引っ掛かってしまう可能性がある。
【００３１】
ところが、孔部６０が、中紙片２０と下紙片３０とを折り畳む折り部４２上に形成されているため、図４（ｂ）に示すように、指２が引っ掛かった場合においても、中紙片２０と下紙片３０とがそこから不用意に剥離してしまうことがない。
【００３２】
これにより、図１に示したはがき１が、その送付途中において孔部６０に指や機械等が引っ掛かった場合に、中紙片２０と下紙片３０とがそこから不用意に剥離し、通知情報２２，３１が漏洩してしまうことを回避することができる。
【００３３】
送付先に送付されたはがき１は、上紙片１０と中紙片２０と下紙片３０とが剥離されて見開かれ、通知情報２２，３１が送付先に通知されることになる。
【００３４】
図５は、図１に示したはがき１が見開かれる状態を示す図である。
【００３５】
上述したようにして送付されたはがき１は、送付先において上紙片１０と中紙片２０と下紙片３０とが剥離されて見開かれる。上紙片１０と中紙片２０と下紙片３０とは感圧接着剤５０によって剥離可能に貼着されているので、図５（ａ）に示すように、上紙片１０と中紙片２０とが剥離開始部１２から剥離され、また、中紙片２０と下紙片３０とが剥離される。
【００３６】
そして、上紙片１０と中紙片２０と下紙片３０とが見開かれると、図５（ｂ）に示すように、中紙片２０に印字された通知情報２２や下紙片３０に印字された通知情報３１が視認可能な状態となり、これら通知情報２２，２３がはがき１の送付先に通知されることになる。
【００３７】
（他の実施の形態）
図６は、本発明の情報担持シートの他の実施の形態を示す図であり、（ａ）は正面図、（ｂ）は（ａ）に示したＡ−Ａ’断面図、（ｃ）は見開いた状態を示す図である。
【００３８】
本形態の情報担持シートは図６に示すように、上紙片１１０が第１の紙片部となり、下紙片１２０が第２の紙片部となり、これら上紙片１１０と下紙片１２０とが折り部１４０にて折り畳まれて感圧接着剤１５０によってその全面にて剥離可能に貼着されたはがき１０１であって、折り部１４０上に上紙片１１０と下紙片１２０とに跨るように孔部１６０が形成され、上紙片１１０の孔部１６０に隣接する領域に機械読み取り用コード１１１が付与されている。
【００３９】
上記のように構成されたはがき１０１においても、機械読み取り用コード１１１に隣接する領域に孔部１６０が形成されていることにより、指で孔部１６０の位置を確認することにより、機械読み取り用コード１１１が付与された領域を認識することができる。また、孔部１６０が、上紙片１１０と下紙片１２０とを折り畳む折り部１４０上に形成されていることにより、孔部１６０に指や機械等が引っ掛かった場合においても、上紙片１１０と下紙片１２０とがそこから不用意に剥離してしまうことがない。
【００４０】
なお、上述した実施の形態においては、機械読み取り用コード１１，１１１に隣接する領域に孔部６０，１６０が形成されていることにより、指で孔部６０，１６０の位置を確認することにより、機械読み取り用コード１１，１１１が付与された領域を認識することができるものを例に挙げて説明したが、上述したはがき１，１０１等の情報担持シートの外形に対する孔部の相対位置を予め認識しておくことにより、孔部を触った場合にその孔部の位置に基づいて、情報担持シートの向きを認識することができる。
【００４１】
また、孔部６０，１６０の形状は上述したような円形状に限らず、また、数も１つに限らない。
【００４２】
また、上述したように、上紙片１０と中紙片２０、中紙片２０と下紙片３０とがそれぞれその全面にて感圧接着剤５０によって剥離可能に貼着されたはがき１や、上紙片１１０と下紙片１２０とがその全面にて感圧接着剤１５０によって剥離可能に貼着されたはがき１０１に限らず、２つの紙片部が折り畳まれて少なくともその周囲にて剥離可能に貼着されたものであればよい。その場合、孔部６０，１６０の周囲を剥離可能に貼着することにより、２つの紙片部がその全面にて貼着されている場合と同様に、孔部６０，１６０によって折り部４２，１４０上にできた凹部にて中紙片２０と下紙片３０との間や上紙片１１０と下紙片１２０との間に指や機械等が引っ掛からず、かつ、中紙片２０と下紙片３０との接着面や上紙片１１０と下紙片１２０との接着面に印字された情報が覗き見されることが回避される。
【符号の説明】
【００４３】
１，１０１    はがき
２    指
３    ハンディターミナルターミナル
１０，１１０    上紙片
１１，１１１    機械読み取り用コード
１２，１１２    剥離開始部
１３    宛先情報
２０    中紙片
２１，１２１    固定情報
２２，３１    通知情報
３０，１２０    下紙片
４１，４２，１４０    折り部
５０，１５０    感圧接着剤
６０，１６０    孔部
７０    マージナル部
７１    マージナル孔
【図１】
0005795213.tif 000002
【図２】
0005795213.tif 000003
【図３】
0005795213.tif 000004
【図４】
0005795213.tif 000005
【図５】
0005795213.tif 000006
【図６】
0005795213.tif 000007